(57)【特許請求の範囲】
【請求項１】
識別情報を有する信号が入力される複数の信号入力手段と、
複数の選択状態を有し、該複数の選択状態から1つの選択状態が選択されることにより、該複数の信号入力手段から1つの信号入力手段を選択する選択手段と、
該信号入力手段に入力された信号の識別情報を判断することにより、該選択手段の設定を行う設定手段と、
該設定手段により設定された内容を記憶する記憶手段とを備え、
前記設定手段が、識別情報に対応して、前記信号入力手段を割付ける選択状態があらかじめ記憶されており、所定の信号入力手段に入力された信号の識別情報を判断することにより、該識別情報に対応する選択状態に該信号入力手段を割付ける割付手段を有し、
前記割付手段が、所定の信号入力手段に入力された信号の識別情報を判断することにより、
該識別情報に対応する選択状態が記憶されていない信号入力手段、または、信号が入力されていない信号入力手段を、選択状態に割付けず、
該識別情報に対応する選択状態が記憶されている信号入力手段を、該選択状態に割付けたあと、
未だ割付けていない信号入力手段を、未だ割付けられていない選択状態に割付ける、入力設定装置。
【請求項２】
前記信号が入力されていない信号入力手段よりも、前記入力された信号の識別情報に対応する選択状態が記憶されていない信号入力手段を、未だ割付けられていない選択状態に、優先して割付ける、請求項１に記載の入力設定装置。
【請求項３】
選択されている選択状態の名称を表示する表示手段をさらに備え、
前記設定手段が、識別情報に対応して、該表示手段に表示する選択状態の名称があらかじめ記憶されており、所定の信号入力手段に入力された信号の識別情報を判断することにより、該表示手段に表示する選択状態の名称を、該識別情報に対応する名称に変更する名称変更手段を有する、請求項１または２に記載の入力設定装置。
【発明の詳細な説明】
【０００１】
【発明の属する技術分野】
本発明は、入力設定装置に関し、詳細には、操作者が複雑な操作を要することなく、容易に入力設定することができる入力設定装置に関する。
【０００２】
【従来の技術】
AV（オーディオビジュアル）システムに用いられるAVアンプは、複数のデジタル入力端子を備え、複数のデジタル再生機器（CD、DVDプレーヤーなど）が接続されており、セレクト部の選択状態を切換えることによって、再生する機器を選択することができる。このようなAVアンプにおいては、選択状態に入力端子を割付ることができるようになっている。これは、選択状態に対応する入力端子を自由に変更できるものであり、例えば、CDプレーヤーをいずれの入力端子に接続したとしても、「CD」選択状態を選択すれば、CDプレーヤーが接続された入力端子を選択することができる。さらに、現在選択されている選択状態の名称をFL管に表示することができ、この選択状態の名称を変更することができる。例えば、CDプレーヤーが接続されている入力端子に対応する選択状態の名称が「デジタル1」である場合に、この選択状態の名称を「CD」に変更することができる。
【０００３】
【発明が解決しようとする課題】
しかし、これらのセレクト部に関する入力設定はきわめて複雑な作業が必要である。すなわち、選択状態への入力端子の割付は、FL管に表示されるコマンド（OSD：オンスクリーンディスプレイ）に従って作業を進めていくが、不慣れな操作者にとってはきわめて複雑な作業である。さらに、誤った割付を行った場合には、所望の選択状態を選択した場合でも、誤った入力端子が選択されてしまうという問題がある。選択状態の名称の変更は、同様にOSDに従って進めていくが、不慣れな操作者にとってはきわめて複雑であると共に、名称を手入力する作業がきわめて面倒である。
【０００４】
本発明は上記従来の課題を解決するためになされたものであり、その目的とするところは、操作者が複雑な作業を要することなく、容易に入力設定することができる入力設定装置を提供することにある。
【０００５】
【課題を解決するための手段】
本発明の入力設定装置は、識別情報を有する信号が入力される複数の信号入力手段と、複数の選択状態を有し、該複数の選択状態から1つの選択状態が選択されることにより、該複数の信号入力手段から1つの信号入力手段を選択する選択手段と、該信号入力手段に入力された信号の識別情報を判断することにより、該選択手段の設定を行う設定手段と、該設定手段により設定された内容を記憶する記憶手段とを備える。
【０００６】
好ましい実施形態においては、上記設定手段は、識別情報に対応して、前記信号入力手段を割付ける選択状態があらかじめ記憶されており、所定の信号入力手段に入力された信号の識別情報を判断することにより、該識別情報に対応する選択状態に該信号入力手段を割付ける割付手段を有する。
【０００７】
好ましい実施形態においては、上記割付手段は、所定の信号入力手段に入力された信号の識別情報を判断することにより、該識別情報に対応する選択状態が記憶されていない信号入力手段、または、信号が入力されていない信号入力手段を、選択状態に割付けず、該識別情報に対応する選択状態が記憶されている信号入力手段を、該選択状態に割付けたあと、未だ割付けていない信号入力手段を、未だ割付けられていない選択状態に割付ける。
【０００８】
好ましい実施形態においては、上記信号が入力されていない信号入力手段よりも、前記入力された信号の識別情報に対応する選択状態が記憶されていない信号入力手段を、未だ割付けられていない選択状態に、優先して割付ける。
【０００９】
好ましい実施形態においては、選択されている選択状態の名称を表示する表示手段をさらに備え、上記設定手段は、識別情報に対応して、該表示手段に表示する選択状態の名称があらかじめ記憶されており、所定の信号入力手段に入力された信号の識別情報を判断することにより、該表示手段に表示する選択状態の名称を、該識別情報に対応する名称に変更する名称変更手段を有する。
【００１０】
以下、本発明の作用について説明する。
本発明の入力設定装置は、入力されたデジタル信号の識別情報を判断することにより選択手段の設定を行うので、自動的に選択手段の設定を行うことができる。従って、操作者は、複雑な作業を要することなく、きわめて容易に設定することができる。
【００１１】
好ましくは、入力されたデジタル信号のカテゴリーコードを判断することにより、カテゴリーコードに対応する選択状態に入力端子を割付けることができるので、自動的に入力端子を正しい選択状態に割付けることができる。従って、操作者は、複雑な作業を要することなく、きわめて容易に入力端子の割付を行うことができる。さらに、手動により誤った割付を行ってしまうことを防止することができる。
【００１２】
さらに、入力されたデジタル信号のカテゴリーコードに対応する選択状態がない入力端子、または、デジタル信号が入力されていない入力端子を、未だ割付けられていない選択状態に自動的に割付けることができる。従って、操作者はさらに容易に入力端子の割付を行うことができる。
【００１３】
好ましくは、未だ割付けられていない選択状態に、デジタル信号が入力されていない入力端子よりも、入力されたデジタル信号のカテゴリーコードに対応する選択状態がない入力端子を優先的に割付けるので、プレーヤーが接続されている入力端子を優先して割付けることができ、操作性がさらに向上する。
【００１４】
好ましくは、入力されたデジタル信号の識別情報を判断することにより、選択状態の名称を識別情報に対応する名称に変更するので、自動的に表示部に表示する選択状態の名称を正しい名称に変更することができる。従って、操作者は複雑な作業を要することなく、きわめて容易に表示部に表示する選択手段の名称を変更することができる。
【００１５】
【発明の実施の形態】
以下、本発明の好ましい実施形態について、図面を参照して説明するが、本発明はこれらの実施形態には限定されない。図1は、本実施形態の入力設定装置101を示すブロック図である。
【００１６】
入力設定装置101は、信号入力手段102、選択手段103、設定手段104および記憶手段107を備える。入力設定装置101は、選択手段103の選択状態に所定の信号入力手段102を割付けることができるものである。
【００１７】
信号入力手段102は代表的には複数の入力端子を含み、外部に信号再生装置113が接続され、信号再生装置113からデジタル信号が入力される。
【００１８】
設定手段104は、入力されたデジタル信号の識別情報を判断することにより、セレクト部103の設定を行う。設定手段104は、割付手段105を有する。割付手段105は、代表的にはCPUおよびROMを含み、識別情報に対応する選択状態が記憶されている。そして、入力信号に含まれる識別情報を判断することにより、入力端子を識別情報に対応する選択状態に割付ける。
【００１９】
記憶手段107は、代表的にはRAMを含み、設定された内容を記憶する。すなわち、記憶手段107は、選択状態に所定の入力端子を割付けた内容を記憶する。
【００２０】
選択手段103（以下、セレクト部とする）は、複数の選択状態を有し、複数の選択状態から1つの選択状態が選択されることによって、複数の入力端子から再生する信号再生装置が接続された入力端子を選択する。その際に、セレクト部103は、割付手段105によって割付けられ記憶手段107に記憶されている割付内容に基づいて、信号入力手段102を選択する。
【００２１】
次に、本発明の入力設定装置をAVアンプに採用した実施例について説明する。図2は、本実施例のAVアンプを示すブロック図である。
【００２２】
AVアンプ1は、複数のデジタル入力端子2、セレクト部3、マイコン4（CPU5、ROM6、RAM7）、CODEC8、操作部9、表示部10、アンプ11および映像出力部12を備えている。
【００２３】
デジタル入力端子2は、本実施例では音声入力端子であり、例えば、D1〜D4の4つの端子が設けられている。これらには、例えば、CDプレーヤー13、DATプレーヤー14およびDVDプレーヤー15が接続されている。
【００２４】
セレクト部3は、CPU5からの命令により所定の選択状態に切換えられる。選択状態は、例えば、CD選択状態（操作部9のCD釦によって選択され、表示部10に「CD」と表示される）、DVD選択状態、デジタル1選択状態（任意のデジタル機器用の選択状態）を含む。セレクト部3は、選択状態が選択されることにより、RAM7内に記憶される割付内容に従って、入力端子を選択する。例えば、CD選択状態にD1端子が割付けられていれば、CD選択状態が選択されることにより、D1端子が選択される。
【００２５】
CODEC8（D/A変換器を含むDSP）は、設定時には入力されるデジタル信号から識別情報であるカテゴリーコードを抽出すると共に、音声再生時にはデジタル信号をアナログ信号に変換しアンプ11に与える。図3は、カテゴリーコードを説明する図である。カテゴリーコードは、デジタル信号において、サブコードのチャンネルステータス内（8〜14ビット）に存在する。カテゴリーコードは、デジタル信号の規格を識別するものであり、その代表例を図4に示す。
【００２６】
CPU5は、ROM6内に格納された設定プログラム16およびテーブル17に従い、割付処理を行う。図5は、カテゴリーコードと選択状態との対応を示すテーブル17である。所定の入力端子に入力される信号のカテゴリーコードを調べ、カテゴリーコードがテーブル内にあれば、対応する選択状態に当該入力端子を割付ける。例えば、入力信号のカテゴリーコードがCDのカテゴリーコードであれば、それに対応するCD選択状態に入力端子を割付ける。RAM7は、図6に示すように、選択状態と入力端子2との設定内容（割付内容）18を記憶する。また、RAM7は処理を行う入力端子を計数するためのカウンタ19を有している。
【００２７】
操作部9は、割付処理を開始するための割付釦、および、選択状態を切換えるための切換釦（例えば、CD釦、DVD釦およびデジタル1釦）を有している。表示部10は、代表的には、FL管などを有し、現在選択されている選択状態の名称および／または入力端子などを表示する。アンプ11は、セレクト部3によって選択されている入力端子からの信号を増幅し、外部のスピーカー20に与える。映像出力部12は、図示しない映像入力端子からのビデオ信号を処理して、外部のモニタ21に与える。
【００２８】
次に、本実施例のAVアンプについて、入力端子の割付処理を説明する。図7は、入力端子の割付処理を説明するフローチャートである。入力端子D1にCDプレーヤー、D2にDATプレーヤー、D3にDVDプレーヤーを接続し、D4には何も接続しない場合について説明する。
【００２９】
まず、操作者は、全てのプレーヤーを再生状態とすることによりカテゴリーコードを抽出可能な状態としたのち、操作部9に設けられた割付釦を押す。S1において、RAM7内のカウンタ19を動作させ、最初に端子D1について割付処理を行うため、カウンタ値を1とする。S2において、端子D1に信号が入力されているかどうかを判断する。ここでは、CDプレーヤーからの信号が入力されているので、S3へと進む。S3において、図5に示すテーブル内に、CDプレーヤーからの信号のカテゴリーコードと同一のカテゴリーコードがあるかどうかを判断する。テーブル内にCDのカテゴリーコードがあるので、S4へと進む。S4において、テーブルに基づいて、端子D1をCDのカテゴリーコードに対応するCD選択状態に割付け、図6（ａ）に示すようにRAM内に記憶する。S5において、全ての入力端子について処理を行ったかどうかを判断する。すなわち、カウンタ値と入力端子数（本実施例では4）とが等しいかどうかを判断する。カウンタ値は1であるので、S6へと進み、端子D2の割付処理に移行するため、RAM内のカウンタ値に1を加え、カウンタ値を2とし、S2へと戻る。
【００３０】
次に、端子D2について説明すると、端子D2にはDATプレーヤー14からの信号が入力されているが（S2）、テーブル内にはDATのカテゴリーコードはないので（S3）、端子D2を選択状態に割付けることなく、S7へと進み、図6（ａ）に示すようにRAM内に「カテゴリーなし」であることを記憶する。S5において、カウンタ値は2であるので、S6に進み、RAM内のカウンタ値に1を加え3とし、S2へと戻る。
【００３１】
次に、端子D3について説明すると、端子D1の場合と同様にして、端子D3にはDVDプレーヤー15からの信号が入力されており（S2）、テーブル内にDVDのカテゴリーコードが存在するので（S3）、端子D3をDVD選択状態に割付け、RAM内に記憶する（S4）。S5において、カウンタ値は3であるので、S6に進み、RAM内のカウンタ値に1を加え4とし、S2へと戻る。
【００３２】
次に、端子D4について説明すると、端子D4にはプレーヤーが接続されておらず、信号が入力されていないので（S2）、選択状態に割付けることなく、S8に進み、図6（ａ）に示すようにRAM内に「信号なし」であることを記憶する。S5において、カウンタ値は4であるので、全ての端子について処理を行ったと判断し、S9へと進む。
【００３３】
次に、S9において、割付が完了していない端子（すなわち、テーブル内にカテゴリーコードがない端子D2、または、信号が入力されていない端子D4）を、割付が完了していないデジタル1選択状態に割付ける。好ましくは、信号が入力されていない端子D4よりも、テーブル内にカテゴリーコードがない端子D2を優先して選択状態に割付ける。従って、プレーヤーが接続されていない端子D4よりも、プレーヤーが接続されている端子D2を優先して割付けることができる。すなわち、RAM内に「カテゴリーなし」と記憶された端子D2を、「信号なし」と記憶された端子D4よりも優先して割付け、図6（ｂ）のようにRAM内に記憶し、割付動作を終了する。
【００３４】
以上のように、入力信号のカテゴリーコードを判断することによって、入力端子を、割付けられるべき選択状態に自動的に割付けることができる。さらに、テーブル内にカテゴリーコードがない入力端子、または、信号が入力されていない端子であっても、空いている選択状態に自動的に割付けることができる。
【００３５】
次に、本発明の別の実施形態について説明する。図8は、本実施形態の入力設定装置801を示すブロック図であり、先の実施形態（図1）と同一部分については説明を省略する。
【００３６】
入力設定装置801は、表示手段810をさらに備える。入力設定装置801は、選択状態と信号入力手段とが対応付けられている場合に、表示手段810に表示する選択状態の名称を自動的に変更できるものである。
【００３７】
設定手段804は名称変更手段805を有する。名称変更手段805は、代表的にはCPUおよびROMを含み、識別情報に対応して表示手段810に表示する選択状態の名称が記憶されている。そして、入力信号に含まれる識別情報を判断することにより、表示部810に表示する選択状態の名称を識別情報に対応する名称に変更する。記憶手段807は、表示手段810に表示する選択状態の名称を記憶する。表示手段810は、現在選択されている選択状態の名称を表示し、操作者に知らせる。
【００３８】
次に、入力設定装置801をAVアンプに採用した実施例について、図2を参照して説明する。
【００３９】
選択状態は、例えば、デジタル1選択状態〜デジタル4選択状態を含み、FL管10に表示する名称の初期設定は「デジタル1」〜「デジタル4」である。デジタル1選択状態〜デジタル4選択状態には、入力端子D1〜D4が各々対応付けられている。
【００４０】
CPU5はROM6内に格納された設定プログラム16およびテーブル17に従い、FL管に表示する選択状態の名称を変更する。図9は、カテゴリーコードと、FL管10に表示する選択状態の名称との対応を示すテーブルである。テーブル内に、入力信号のカテゴリーコードと同一のカテゴリーコードがあれば、FL管10に表示する選択状態の名称を当該カテゴリーコードに対応する名称に変更する。例えば、入力信号のカテゴリーコードがCDのカテゴリーコードであれば、FL管に表示する選択状態の名称を「CD」と変更する。RAM7は、図10に示すように、FL管に表示する選択状態の名称を記憶する。
【００４１】
操作部9には、名称変更を開始する名称変更釦、および、選択状態を切換えるためのデジタル1釦〜デジタル4釦が設けられている。
【００４２】
次に、本実施例のAVアンプについて、表示する選択状態の名称変更処理を説明する。図11は、名称変更処理を説明するフローチャートである。端子D1にCDプレーヤー13、端子D2にDATプレーヤー14、端子D3にDVDプレーヤー15を接続し、端子D4には何も接続しない場合について説明する。
【００４３】
最初に、端子D1について説明すると、S1において、RAM7内のカウンタ値を1とする。S2において、端子D1にCDプレーヤー13からの信号が入力されているので、S3へと進む。S3において、図9に示すテーブル内にCDのカテゴリーコードがあるのでＳ4に進む。Ｓ4において、FL管に表示する選択状態の名称を、テーブルに基づいて、「デジタル1」からCDのカテゴリーコードに対応する「CD」に変更し、図10に示すようにRAM内に記憶する。Ｓ5において、カウンタ値は1であるので、Ｓ6に進み、カウンタ値に1を加え2とし、S2へ戻る。
【００４４】
次に、端子D2について説明すると、端子D2にはDATプレーヤー14からの信号が入力されているが（S2）、テーブル内にはDATのカテゴリーコードがないので（S3）、選択状態の名称を変更することなく、S5に進む。Ｓ5において、カウンタ値は2であるので、Ｓ6に進み、カウンタ値に1を加え3とし、S2へと戻る。
【００４５】
次に、端子D3について説明すると、端子D1と同様にして、端子D3にはDVDプレーヤー15からの信号が入力されており（S2）、テーブル内にDVDのカテゴリーコードがあるので（S3）、テーブルに基づいて、選択状態の名称を「デジタル3」から「DVD」に変更しRAM7内に記憶する（S4）。S5において、カウンタ値は3であるので、S6に進み、カウンタ値に1を加え4とし、S2へと戻る。
【００４６】
次に、端子D4について説明すると、端子D4にはプレーヤーが接続されておらず、信号が入力されていないので（S2）、選択状態の名称を変更することなく、S5に進む。S5において、カウンタ値は4であるので、全ての端子について処理を行ったと判断し、名称変更処理を終了する。
【００４７】
以上のように、入力信号のカテゴリーコードを判断することによって、FL管10に表示する選択状態の名称を自動的に変更することができる。なお、複数の入力端子に同一規格の再生装置が接続されている場合には、選択状態名の後に数字を付けることによって区別することができる。例えば、2つのCDプレーヤーが接続されている場合には、選択状態の名称を「CD1」および「CD2」とすることができる。
【００４８】
以上、本発明の好ましい実施形態について説明したが、本発明はこれらの実施形態には限定されない。例えば、入力端子毎に割付ける選択状態を判断するのではなく、選択状態毎に割付ける入力端子を判断してもよい。例えば、CD選択状態に対して、CDのカテゴリーコードが入力されている入力端子を探し、割付けてもよい。好ましくは、入力される全てのカテゴリーコードを先にRAM内に一時記憶した後に、選択状態毎に割付ける入力端子を判断することにより、処理を高速化することができる。名称変更についても同様に、選択状態毎に名称変更処理を行ってもよい。また、入力信号は、識別情報を含む任意の信号が採用され、例えば、衛星放送、半導体メモリ、A/Dコンバーターなどであってもよい。さらに、入力信号は音声信号に限定されず、映像信号であってもよい。
【００４９】
【発明の効果】
本発明の入力設定装置は、入力されたデジタル信号のカテゴリーコードを判断することによりセレクト部の設定を行うので、複雑な作業を要することなく、きわめて容易に設定することができる。
【図面の簡単な説明】
【図１】本実施形態の入力設定装置を示すブロック図である。
【図２】本実施例のAVアンプを示すブロック図である。
【図３】カテゴリーコードを説明する図である。
【図４】カテゴリーコードの代表例を示す図である。
【図５】カテゴリーコードと選択状態との対応を示すテーブルである。
【図６】  RAMに記憶する割付内容を示す図である。
【図７】入力端子の割付処理を示すフローチャートである。
【図８】別の実施形態による入力設定装置を示すブロック図である。
【図９】カテゴリーコードと、選択状態の名称との対応を示すテーブルである。
【図１０】  RAM内に記憶する選択状態の名称を示す図である。
【図１１】選択状態の名称変更処理を示すフローチャートである。
【符号の説明】
１０１        入力設定装置
１０２        信号入力手段
１０３        選択手段
１０４        設定手段
１０７        記憶手段
【図１】
0004798418.tif 000002
【図２】
0004798418.tif 000003
【図３】
0004798418.tif 000004
【図４】
0004798418.tif 000005
【図５】
0004798418.tif 000006
【図６】
0004798418.tif 000007
【図７】
0004798418.tif 000008
【図８】
0004798418.tif 000009
【図９】
0004798418.tif 000010
【図１０】
0004798418.tif 000011
【図１１】
0004798418.tif 000012